(57)【特許請求の範囲】
【請求項１】
内燃機関からの駆動力が入力される主入力軸と、
前記主入力軸の駆動力が第１クラッチを介して選択的に伝達される第１主軸と、
前記第１主軸と同軸上に配置され、前記主入力軸の駆動力が第２クラッチを介して選択的に伝達される第２主軸と、
前記第１主軸及び前記第２主軸に対して平行に配置される第１副軸及び第２副軸と、
前記第２主軸に相対回転自在に支持される第１シンクロ機構により前記第２主軸に接続し、前記第１副軸及び前記第２副軸に駆動力を伝達可能な第１遊転ギヤと、
前記第２副軸に対して前記第１主軸及び前記第２主軸からの駆動力の伝達を切換える第２シンクロ機構と、
前記第２副軸に固設され、駆動力を出力する第１固定ギヤと、
前記第１副軸に相対回転自在に支持されて第３シンクロ機構により前記第１副軸に結合し、前記第１遊転ギヤと噛み合い前記第１主軸の駆動力を伝達する第２遊転ギヤと、
前記第２副軸に相対回転自在に支持されて第４シンクロ機構により前記第２副軸に結合し、前記第１遊転ギヤと噛み合い前記第２主軸の駆動力を伝達する第３遊転ギヤと、を備え、
前記第１シンクロ機構と前記第３シンクロ機構と前記第４シンクロ機構は、前記第２主軸に垂直な方向から見てオーバーラップ配置されることを特徴とする変速装置。
【請求項２】
駆動力を発生させる電動機を備え、
前記第２シンクロ機構は、前記第２副軸に設けられ、前記第２副軸に相対回転自在に支持された、前記第１主軸の駆動力を伝達する第４遊転ギヤ或いは前記第２主軸の駆動力を伝達する第５遊転ギヤの駆動力を前記第２副軸に伝達し、
前記電動機は、前記第５遊転ギヤに駆動力を伝達可能とすることを特徴とする、請求項１に記載の変速装置。
【請求項３】
前記第１主軸に入力された駆動力が奇数段となるギヤに伝達され、前記第２主軸に入力された駆動力が偶数段となるギヤに伝達されるようにそれぞれのギヤを設けることを特徴とする、請求項１或いは２に記載の変速装置。
【発明の詳細な説明】
【技術分野】
【０００１】
本発明は機械式の自動変速装置に関するものである。
【背景技術】
【０００２】
車両の変速装置として、トルクコンバータを使用しない機械式の自動変速装置が知られている。この機械式の自動変速装置では、手動変速装置における変速機の操作（セレクト及びシフト）及びクラッチの断接をアクチュエータにより作動させることで、トルクコンバータを不要とした自動変速を可能としている。当該変速装置は、例えば、特許文献１のように、エンジンのクランク軸と同軸の第１或いは第２主軸に固設したギヤ群と、連結軸、第１中間軸或いは第２中間軸に支持されて第１、第２変速用シフター或いは後進用シフターによりそれぞれの軸に結合されるギヤ群とを噛合させ、エンジンより入力された駆動力を変速し、第２中間軸に固設されたファイナルギヤより差動ギヤ機構に変速された駆動力を出力している。
【先行技術文献】
【特許文献】
【０００３】
【特許文献１】特開２０１０−２０２００４号公報
【発明の概要】
【発明が解決しようとする課題】
【０００４】
上記特許文献１の変速装置では、変速段毎に固有のギヤを有し、１速から５速までのギヤ段を形成している。
しかしながら、変速段毎に固有のギヤを有することは、部品数増加に繋がり変速装置の重量増加及びコスト増加に繋がり好ましいことではない。また、部品数増加は、変速装置の軸方向長さの増加にも繋がり、ひいては車両への搭載性の悪化に繋がり好ましいことではない。
【０００５】
本発明は、この様な問題を解決するためになされたもので、その目的とするところは、軽量、安価で車載搭載性の良い変速装置を提供することにある。
【課題を解決するための手段】
【０００６】
上記の目的を達成するために、請求項１の変速装置では、内燃機関からの駆動力が入力される主入力軸と、前記主入力軸の駆動力が第１クラッチを介して選択的に伝達される第１主軸と、前記第１主軸と同軸上に配置され、前記主入力軸の駆動力が第２クラッチを介して選択的に伝達される第２主軸と、前記第１主軸及び前記第２主軸に対して平行に配置される第１副軸及び第２副軸と、前記第２主軸に相対回転自在に支持される第１シンクロ機構により前記第２主軸に接続し、前記第１副軸及び前記第２副軸に駆動力を伝達可能な第１遊転ギヤと、前記第２副軸に対して前記第１主軸及び前記第２主軸からの駆動力の伝達を切換える第２シンクロ機構と、前記第２副軸に固設され、駆動力を出力する第１固定ギヤと、前記第１副軸に相対回転自在に支持されて第３シンクロ機構により前記第１副軸に結合し、前記第１遊転ギヤと噛み合い前記第１主軸の駆動力を伝達する第２遊転ギヤと、前記第２副軸に相対回転自在に支持されて第４シンクロ機構により前記第２副軸に結合し、前記第１遊転ギヤと噛み合い前記第２主軸の駆動力を伝達する第３遊転ギヤと、を備え、前記第１シンクロ機構と前記第３シンクロ機構と前記第４シンクロ機構は、前記第２主軸に垂直な方向から見てオーバーラップ配置されることを特徴とする。
【０００７】
また、請求項２の変速装置では、請求項１において、駆動力を発生させる電動機を備え、前記第２シンクロ機構は、前記第２副軸に設けられ、前記第２副軸に相対回転自在に支持された、前記第１主軸の駆動力を伝達する第４遊転ギヤ或いは前記第２主軸の駆動力を伝達する第５遊転ギヤの駆動力を前記第２副軸に伝達し、前記電動機は、前記第５遊転ギヤに駆動力を伝達可能とすることを特徴とする。
【０００８】
また、請求項３の変速装置では、請求項１或いは２において、前記第１主軸に入力された駆動力が奇数段となるギヤに伝達され、前記第２主軸に入力された駆動力が偶数段となるギヤに伝達されるようにそれぞれのギヤを設けることを特徴とする。
【発明の効果】
【０００９】
請求項１の発明によれば、第２主軸に第１シンクロ機構を備え、第１シンクロ機構により第１遊転ギヤを第２主軸に結合して、第１副軸或いは第２副軸に駆動力を伝達可能としている。また、第２副軸に対して第１主軸及び第２主軸からの駆動力の伝達を切換える第２シンクロ機構を備えており、これらの第１シンクロ機構及び第２シンクロ機構を切換えることで、第１主軸、第２主軸、第１副軸を選択的に用いて、主入力軸から第２副軸に複数の経路で動力が伝達可能となる。このように、複数の経路で主入力軸から第２副軸に動力が伝達可能となるので、各軸に設けられたギヤの組み合わせにより複数の変速段でギヤ比を確保することができる。
【００１０】
従って、変速段毎に固有のギヤを備える必要がなく部品数量を低減することができるので、重量及びコストを低減することができる。
そして、更に第２主軸に設けられる第１シンクロ機構と、第１副軸に設けられる第３シンクロ機構と、第２副軸に設けられる第４シンクロ機構とを、それぞれ第２主軸に垂直な方向から見てオーバーラップ配置するようにしているので、変速装置の軸方向の長さを短縮することができ、車載搭載性を良くすることができる。
【００１１】
また、請求項２の発明によれば、第５遊転ギヤ、第２シンクロ機構を介して電動機から第２副軸に駆動力を伝達可能としているので、電動機により駆動力を補うことができ、内燃機関の燃費を低減することができる。
また、請求項３の発明によれば、第２主軸に入力された駆動力が偶数段となるギヤに伝達されるようにそれぞれのギヤが設けられ、電動機の駆動力を第２主軸の駆動力を伝達する第５遊転ギヤに伝達するようにしているので、第２シンクロ機構の作動により多くのギヤ段で電動機により駆動力を補うことができ、更に内燃機関の燃費を低減することができる。
【図面の簡単な説明】
【００１２】
【図１】本発明の第１実施例に係る変速装置の概略構成図である。
【図２】本発明の第１実施例に係る変速装置の各軸の位置関係を示す軸方向視図ある。
【図３】本発明の第１実施例に係る変速装置の各変速段でのクラッチ及びシンクロスリーブの作動を示す図である。
【図４】本発明の第１実施例に係る変速装置の各変速段での駆動力の伝達順序を示す図である。
【図５】本発明の第２実施例に係る変速装置の概略構成図である。
【図６】本発明の第２実施例に係る変速装置の各軸の位置関係を示す軸方向視図ある。
【図７】本発明の第３実施例に係る変速装置の概略構成図である。
【発明を実施するための形態】
【００１３】
以下、本発明の実施の形態を図面に基づき説明する。
［第１実施例］
図１は、本発明の第１実施例に係る変速装置の概略構成図である。また、図２は、第１実施例に係る変速装置の各軸の位置関係を示す軸方向視図ある。以下、本発明の第１実施例に係る変速装置の構成を説明する。
【００１４】
図１及び図２に示すように、変速機部１は、２個のクラッチ２、３と、同軸上に配置された２本の主軸４、５と、３本の副軸６，７，８とを備えている。第１主軸４は第１クラッチ２を介して、エンジン（内燃機関）１００の出力軸（主入力軸）９から動力が伝達される一方、第２主軸５は第２クラッチ３を介して出力軸９から動力が伝達されるよう構成されている。また、第１主軸４及び第２主軸５は、軸受４ａ，５ａにて回転可能に支持されている。
【００１５】
第１副軸６、第２副軸７及び第３副軸８は、第１主軸４及び第２主軸５と軸線が平行になるように夫々離間して配置されている。第２副軸７は、変速機部１の後段のデフ１１０に後述する第１固定ギヤ１４ａを介して動力を伝達可能に構成されている。第１副軸６は、軸受６ａ，６ｂにて回転可能に支持されている。また、第２副軸７は、軸受７ａ，７ｂにて回転可能に支持されている。そして、第３副軸８は、軸受８ａ，８ｂにて回転可能に支持されている。
【００１６】
第１主軸４には、出力軸９の反対側より順に第２固定ギヤ１０ａと第４固定ギヤ１１ａとが第１主軸４と一体回転するように固定されている。第２主軸５には、出力軸９の反対側より順に第１遊転ギヤ１２ａと第５固定ギヤ１３ａとが設けられている。第１遊転ギヤ１２ａは、第２主軸５に対して相対回転可能に枢支されている。また、第５固定ギヤ１３ａは、第２主軸５と一体回転するように固定されている。
【００１７】
第１副軸６には、出力軸９の反対側より順に第２遊転ギヤ１２ｂと第６遊転ギヤ１３ｂと第３固定ギヤ１０ｂとが設けられている。第２遊転ギヤ１２ｂと第６遊転ギヤ１３ｂは、第１副軸６に対して相対回転可能に枢支されている。また、第３固定ギヤ１０ｂは、第１副軸６と一体回転するように固定されている。
また、第２副軸７には、出力軸９の反対側より順に第３遊転ギヤ１２ｃと第５遊転ギヤ１３ｃと第４遊転ギヤ１１ｂと第１固定ギヤ１４ａとが設けられている。第３遊転ギヤ１２ｃと第５遊転ギヤ１３ｃと第４遊転ギヤ１１ｂは、第２副軸７に対して相対回転可能に枢支されている。また、第１固定ギヤ１４ａは、第２副軸７と一体回転するように固定されている。第３副軸８には、第６固定ギヤ１３ｄが第３副軸８と一体回転するように固定されている。
【００１８】
このようなギヤ配置により、第２固定ギヤ１０ａと第３固定ギヤ１０ｂとが、第４固定ギヤ１１ａと第４遊転ギヤ１１ｂとが、第１遊転ギヤ１２ａと第２遊転ギヤ１２ｂと第３遊転ギヤ１２ｃとが、第５固定ギヤ１３ａと第５遊転ギヤ１３ｃとが、第５固定ギヤ１３ａと第６固定ギヤ１３ｄとが、第６遊転ギヤ１３ｂと第６固定ギヤ１３ｄとがそれぞれ常時噛み合うように配設されている。
【００１９】
また、変速機部１には、第１シンクロスリーブ（第１シンクロ機構）２１、第２シンクロスリーブ（第２シンクロ機構）２２、第３シンクロスリーブ（第３シンクロ機構）２３及び第４シンクロスリーブ（第４シンクロ機構）２４が備えられており、それぞれのシンクロスリーブ２１，２２，２３，２４は、図示しないシフトフォークによってそれぞれを枢支する主軸或いは副軸の軸線に沿ってスライド移動させられる。
【００２０】
このうち第１シンクロスリーブ２１は、第２主軸５の軸線に沿ってスライド移動可能に第１遊転ギヤ１２ａと第５固定ギヤ１３ａとの間に設置され、図示しないシフトフォークによって、スライド移動させられる。第２シンクロスリーブ２２は、第２副軸７の軸線に沿ってスライド移動可能に第４遊転ギヤ１１ｂと第５遊転ギヤ１３ｃとの間に設置され、シフトフォークによって、スライド移動させられる。第３シンクロスリーブ２３は、第１副軸６の軸線に沿ってスライド移動可能に第２遊転ギヤ１２ｂと第６遊転ギヤ１３ｂとの間に設置され、シフトフォークによってスライド移動させられる。第４シンクロスリーブ２４は、第２副軸７の軸線に沿ってスライド移動可能に第３遊転ギヤ１２ｃと第５遊転ギヤ１３ｃとの間に設置され、シフトフォークによって、それぞれスライド移動させられる。
【００２１】
また、第１シンクロスリーブ２１、第３シンクロスリーブ２３及び第４シンクロスリーブ２４は、各軸の軸方向に垂直な同一平面上に配設されている。つまり、各軸の軸方向に垂直方向から見てオーバーラップするよう、各軸の軸方向に垂直方向から見て重なり合うように配置されている。
そして、第２シンクロスリーブ２２は、第２固定ギヤ１０ａ及び第３固定ギヤ１０ｂと、各軸の軸方向に垂直な同一平面上に配設されている。つまり、各軸の軸方向に垂直方向から見てオーバーラップするよう、各軸の軸方向に垂直方向から見て重なり合うように配置されている。
【００２２】
これらのシンクロスリーブ２１，２２，２３，２４をそれぞれスライド移動させることで、第１シンクロスリーブ２１により第１遊転ギヤ１２ａを第２主軸５に断接（シフト作動）可能となっている。また、第２シンクロスリーブ２２により第４遊転ギヤ１１ｂ及び第５遊転ギヤ１３ｃを夫々選択的に第２副軸７に断接（シフト作動）可能となっている。そして、第３シンクロスリーブ２３より第２遊転ギヤ１２ｂ及び第６遊転ギヤ１３ｂを夫々選択的に第１副軸６に断接（シフト作動）可能となっている。更に、第４シンクロスリーブ２４により第３遊転ギヤ１２ｃを第２副軸７に断接（シフト作動）可能となっている。
【００２３】
即ち、デュアルクラッチ式変速装置の変速機部１では、シンクロスリーブ２１，２２，２３，２４をそれぞれスライド移動させ、クラッチ２，３を断接することで、リバース、１速、２速、３速、４速、５速、６速と変速段を選択的に切り換え可能に構成されている。
次に、図３及び図４を用いて、本発明の変速装置を適用した、上記デュアルクラッチ式変速装置の変速操作について説明する。
【００２４】
図３は、各変速段でのクラッチ及びシンクロスリーブの作動を示す図である。そして、図４は、各変速段での駆動力の伝達経路を示す図である。図３中の黒塗り丸は、シンクロスリーブの作動を、白抜き下向き三角はシフトアップ時のみのシンクロスリーブの作動を、白抜き上向き三角はシフトダウン時のみのシンクロスリーブの作動をそれぞれ示している。また、図３中のＫ１は第１クラッチ２の断接を、Ｋ２は第２クラッチ３の断接をそれぞれ示している。また、Ａは第４シンクロスリーブ２４の作動による第３遊転ギヤ１２ｃと第２副軸７の断接を、Ｂは第２シンクロスリーブ２２の作動による第５遊転ギヤ１３ｃと第２副軸７の断接を、Ｃは第２シンクロスリーブ２２の作動による第４遊転ギヤ１１ｂと第２副軸７の断接を、Ｄは第１シンクロスリーブ２１の作動による第１遊転ギヤ１２ａと第２主軸５の断接を、Ｅは第３シンクロスリーブ２３の作動による第２遊転ギヤ１２ｂと第１副軸６の断接を、Ｆは第３シンクロスリーブ２３の作動による第６遊転ギヤ１３ｂと第１副軸６の断接をそれぞれ示している。そして、図４中の太実線は駆動力の伝達経路を示し、図中（ａ）はリバース、（ｂ）は１速、（ｃ）は２速、（ｄ）は３速、（ｅ）は４速、（ｆ）は５速、（ｇ）は６速の駆動力の伝達経路をそれぞれ示している。
【００２５】
図４（ａ）のリバースでは、図３に示すように、第１クラッチ２を接続し（Ｋ１）、第２シンクロスリーブ２２を作動させ第５遊転ギヤ１３ｃと第２副軸７とを接続し（Ｂ）、第１シンクロスリーブ２１を作動させ第１遊転ギヤ１２ａと第２主軸５とを接続し（Ｄ）、第３シンクロスリーブ２３を作動させ第６遊転ギヤ１３ｂと第１副軸６とを接続する（Ｆ）。これによりエンジン１００の出力は、第１主軸４、第２固定ギヤ１０ａ、第３固定ギヤ１０ｂ、第１副軸６、第６遊転ギヤ１３ｂ、第６固定ギヤ１３ｄ、第５固定ギヤ１３ａ、第５遊転ギヤ１３ｃ、第２副軸７を介して、第１固定ギヤ１４ａより前進方向に対して反転した回転方向の駆動力が出力される。
【００２６】
図４（ｂ）の１速では、図３に示すように、第１クラッチ２を接続し（Ｋ１）、第２シンクロスリーブ２２を作動させ第５遊転ギヤ１３ｃと第２副軸７とを接続し（Ｂ）、第１シンクロスリーブ２１を作動させ第１遊転ギヤ１２ａと第２主軸５とを接続し（Ｄ）、第３シンクロスリーブ２３を作動させ第２遊転ギヤ１２ｂと第１副軸６とを接続する（Ｅ）。これによりエンジン１００の出力は、第１主軸４、第２固定ギヤ１０ａ、第３固定ギヤ１０ｂ、第１副軸６、第２遊転ギヤ１２ｂ、第１遊転ギヤ１２ａ、第２主軸５、第５固定ギヤ１３ａ、第５遊転ギヤ１３ｃ、第２副軸７を介して、第１固定ギヤ１４ａより前進の回転方向の駆動力が出力される。なお、シフト操作がシフトアップ時には、第１クラッチ２と第２クラッチ３の断接操作のみでシフトアップすることができる。
【００２７】
図４（ｃ）の２速では、図３に示すように、第２クラッチ３を接続し（Ｋ２）、第２シンクロスリーブ２２を作動させ第５遊転ギヤ１３ｃと第２副軸７とを接続し（Ｂ）、第３シンクロスリーブ２３を作動させ第２遊転ギヤ１２ｂと第１副軸６とを接続する（Ｅ）。これによりエンジン１００の出力は、第２主軸５、第５固定ギヤ１３ａ、第５遊転ギヤ１３ｃ、第２副軸７を介して、第１固定ギヤ１４ａより前進の回転方向の駆動力が出力される。なお、シフト操作がシフトアップ時には、予め第４シンクロスリーブ２４を作動させ第３遊転ギヤ１２ｃと第２副軸７とを接続し（Ａ）、シフトダウン時には、予め第１シンクロスリーブ２１を作動させ第１遊転ギヤ１２ａと第２主軸５とを接続する（Ｄ）ことで第１クラッチ２と第２クラッチ３の断接操作のみでシフトアップ或いはシフトダウンを可能とするプレシフトすることができる。
【００２８】
図４（ｄ）の３速では、図３に示すように、第１クラッチ２を接続し（Ｋ１）、第４シンクロスリーブ２４を作動させ第３遊転ギヤ１２ｃと第２副軸７とを接続し（Ａ）、第３シンクロスリーブ２３を作動させ第２遊転ギヤ１２ｂと第１副軸６とを接続する（Ｅ）。これによりエンジン１００の出力は、第１主軸４、第２固定ギヤ１０ａ、第３固定ギヤ１０ｂ、第１副軸６、第２遊転ギヤ１２ｂ、第１遊転ギヤ１２ａ、第３遊転ギヤ１２ｃ、第２副軸７を介して、第１固定ギヤ１４ａより前進の回転方向の駆動力が出力される。なお、シフト操作がシフトアップ時には、予め第１シンクロスリーブ２１を作動させ第１遊転ギヤ１２ａと第２主軸５とを接続（Ｄ）、或いはシフトダウン時には、予め第２シンクロスリーブ２２を作動させ第５遊転ギヤ１３ｃと第２副軸７とを接続する（Ｂ）ことで第１クラッチ２と第２クラッチ３の断接操作のみでシフトアップ或いはシフトダウンを可能とするプレシフトすることができる。
【００２９】
図４（ｅ）の４速では、図３に示すように、第２クラッチ３を接続し（Ｋ２）、第４シンクロスリーブ２４を作動させ第３遊転ギヤ１２ｃと第２副軸７とを接続し（Ａ）、第１シンクロスリーブ２１を作動させ第１遊転ギヤ１２ａと第２主軸５とを接続する（Ｄ）。これによりエンジン１００の出力は、第２主軸５、第１遊転ギヤ１２ａ、第３遊転ギヤ１２ｃ、第２副軸７を介して、第１固定ギヤ１４ａより前進の回転方向の駆動力が出力される。なお、シフト操作がシフトアップ時には、予め第２シンクロスリーブ２２を作動させ第４遊転ギヤ１１ｂと第２副軸７とを接続（Ｃ）、或いはシフトダウン時には、予め第３シンクロスリーブ２３を作動させ第２遊転ギヤ１２ｂと第１副軸６とを接続する（Ｅ）ことで第１クラッチ２と第２クラッチ３の断接操作のみでシフトアップ或いはシフトダウンを可能とするプレシフトすることができる。
【００３０】
図４（ｆ）の５速では、図３に示すように、第１クラッチ２を接続し（Ｋ１）、第２シンクロスリーブ２２を作動させ第４遊転ギヤ１１ｂと第２副軸７とを接続し（Ｃ）、第１シンクロスリーブ２１を作動させ第１遊転ギヤ１２ａと第２主軸５とを接続する（Ｄ）。これによりエンジン１００の出力は、第１主軸４、第４固定ギヤ１１ａ、第４遊転ギヤ１１ｂ、第２副軸７を介して、第１固定ギヤ１４ａより前進の回転方向の駆動力が出力される。なお、シフト操作がシフトアップ時には、予め第３シンクロスリーブ２３を作動させ第２遊転ギヤ１２ｂと第１副軸６とを接続（Ｅ）、或いはシフトダウン時には、予め第４シンクロスリーブを作動させ第３遊転ギヤ１２ｃと第２副軸７とを接続する（Ａ）ことで第１クラッチ２と第２クラッチ３の断接操作のみでシフトアップ或いはシフトダウンを可能とするプレシフトすることができる。
【００３１】
図４（ｇ）の６速では、図３に示すように、第２クラッチ３を接続し（Ｋ２）、第２シンクロスリーブ２２を作動させ第４遊転ギヤ１１ｂと第２副軸７とを接続し（Ｃ）、第１シンクロスリーブ２１を作動させ第１遊転ギヤ１２ａと第２主軸５とを接続し（Ｄ）、第３シンクロスリーブ２３を作動させ第２遊転ギヤ１２ｂと第１副軸６とを接続する（Ｅ）。これによりエンジン１００の出力は、第２主軸５、第１遊転ギヤ１２ａ、第２遊転ギヤ１２ｂ、第１副軸６、第３固定ギヤ１０ｂ、第２固定ギヤ１０ａ、第１主軸４、第４固定ギヤ１１ａ、第４遊転ギヤ１１ｂ、第２副軸７を介して、第１固定ギヤ１４ａより前進の回転方向の駆動力が出力される。なお、シフト操作がシフトダウン時には、第１クラッチ２と第２クラッチ３の断接操作のみでシフトダウンすることができる。
【００３２】
このように、本発明の第１実施例に係る変速装置では、第２主軸５に第１シンクロスリーブ２１を設け、第１シンクロスリーブ２１により第１遊転ギヤ１２ａを第２主軸５と接続し、第１副軸６或いは第２副軸７に駆動力を伝達可能としている。また、第２シンクロスリーブ２２を第２副軸７に設け、第４遊転ギヤ１１ｂ或いは第５遊転ギヤ１３ｃを介して第１主軸４及び第２主軸５から第２副軸７に選択的に駆動力を伝達可能とし、それぞれに伝達され変速された駆動力を第２副軸７に固設された第１固定ギヤ１４ａよりデフ１１０に出力するようにしている。更に、第１副軸６と第２副軸７との間も第１遊転ギヤ１２ａを介して互いに動力を伝達可能となっている。
【００３３】
したがって、上記のような第１シンクロスリーブ２１や第２シンクロスリーブ２２及び第１クラッチ２、第２クラッチ３を作動制御することで、第１主軸４、第２主軸５及び第１副軸６を選択的に利用して、最終的に第２副軸７を経由するルートを複数設定することができる。更には、第１副軸６に設けられた第３シンクロスリーブ２３、第２副軸７に設けられた第４シンクロスリーブ２４も作動制御することで、３本の副軸６、７、８や２本の主軸４、５に設けられた変速ギヤの組み合わせにより、各変速段でのギヤ比を確保することができる。
【００３４】
そして、変速段毎に固有のギヤを備える必要がなく部品数量を低減することができるので、重量及びコストを低減することができる。
また、第１シンクロスリーブ２１と、第３シンクロスリーブ２３と、第４シンクロスリーブ２４とを、各軸の軸方向に垂直な同一平面上に並列に配置するようにしているので、変速機部１の軸方向の長さを短縮することができ、車載搭載性を良くすることができる。
【００３５】
また、出力ギヤを第１固定ギヤ１４ａのみにしており、デフ１１０とのギヤの噛み合いは第１固定ギヤ１４ａのみに依存するので、図２に示すように、デフ１１０に対する変速機部１の配置の自由度を大きくすることができ、更に車載搭載性を良くすることができる。
［第２実施例］
以下、本発明の第２実施例に係る変速装置について説明する。
【００３６】
第２実施例では、上記第１実施例に対して、変速機部１’にエンジン１００の駆動力を補助するモータ（電動機）３１と、当該モータ３１の追加に伴いギヤ及び副軸を追加しており、以下に上記第１実施例との相違点について説明する。
図５は、本発明の第２実施例に係る変速装置の概略構成図である。また、図６は、本発明の第２実施例に係る変速装置の各軸の位置関係を示す軸方向視図ある。
【００３７】
図５及び図６に示すように、変速機部１’は、第１実施例に対して第３副軸８’の長さを長く設定されている。また、変速機部１’は、更に２本の副軸２５，２６を備えている。第４副軸２５及び第５副軸２６は、他の副軸と同様に第１主軸４及び第２主軸５と軸線が平行になるように夫々離間して配置されているとともに、変速機部１に設けられたモータ３１の出力軸が第５副軸２６の端部に接続されている。そして、第３副軸８’、第４副軸２５及び第５副軸２６は、モータ３１で発生する動力をデフ１１０に伝達可能に構成されている。また、第４副軸２５は、軸受２５ａ，２５ｂにて回転可能に支持されている。また、第５副軸２６は、軸受２６ａ，２６ｂにて回転可能に支持されている。
【００３８】
第３副軸８’には、出力軸９の反対側より順に第６固定ギヤ１３ｄと第７固定ギヤ１５ａとが第３副軸８’と一体回転するように固定されている。第４副軸２５には、第８固定ギヤ１５ｂが第４副軸２５と一体回転するように固定されている。第５副軸２６には、第９固定ギヤ１５ｃが第５副軸２６と一体回転するように固定されている。
このようなギヤ配置により、それぞれのギヤは、第７固定ギヤ１５ａと第８固定ギヤ１５ｂとが、第８固定ギヤ１５ｂと第９固定ギヤ１５ｃとがそれぞれ常時噛み合うように配設されている。
【００３９】
このように、本発明の第２実施例に係る変速装置では、変速機部１にモータ３１を備え、モータ３１からの駆動力を第７固定ギヤ１５ａ、第８固定ギヤ１５ｂ及び第９固定ギヤ１５ｃを介して第５遊転ギヤ１３ｃに伝達するようにしているので、第２シンクロスリーブ２２の作動により多くのギヤ段（具体的には、１速、２速、３速及びリバースの低速段）でモータ３１により駆動力を補うことができ、エンジン１００の燃費を低減することができる。
［第３実施例］
以下、本発明の第３実施例に係る変速装置について説明する。
【００４０】
第３実施例では、上記第１実施例に対して、変速機部１”にエンジン１００の駆動力を補助するモータ３１と、当該モータ３１の追加に伴いギヤ及び副軸を追加している。また、上記第２実施例に対して、当該モータ３１の駆動力の伝達方法が異なる。以下に上記第１実施例との相違点について説明する。
図７は、本発明の第３実施例に係る変速装置の概略構成図である。
【００４１】
図７に示すように、変速機部１”は、２本の副軸２５’，２６’を備えている。第４副軸２５’及び第５副軸２６’は、他の副軸と同様に第１主軸４及び第２主軸５と軸線が平行になるように夫々離間して配置されているとともに、変速機部１”に設けられたモータ３１の出力軸が第５副軸２６’の端部に接続されている。そして、第４副軸２５’及び第５副軸２６’は、モータ３１で発生する動力をデフ１１０に伝達可能に構成されている。また、第４副軸２５’は、軸受２５ａ’，２５ｂ’にて回転可能に支持されている。また、第５副軸２６’は、軸受２６ａ’，２６ｂ’にて回転可能に支持されている。
【００４２】
第４副軸２５’には、第７固定ギヤ１５ａ’が第４副軸２５’と一体回転するように固定されている。第５副軸２６’には、第８固定ギヤ１５ｂ’が第５副軸２６’と一体回転するように固定されている。
このようなギヤ配置により、それぞれのギヤは、第５遊転ギヤ１３ｃと第７固定ギヤ１５ａ’とが、第７固定ギヤ１５ａ’と第８固定ギヤ１５ｂ’とがそれぞれ常時噛み合うように配設されている。
【００４３】
このように、本発明の第３実施例に係る変速装置では、第２実施例と同様に変速機部１”にモータ３１を備え、モータ３１からの駆動力を第７固定ギヤ１５ａ’及び第８固定ギヤ１５ｂ’を介して第５遊転ギヤ１３ｃに伝達するようにしているので、第２シンクロスリーブ２２の作動により多くのギヤ段（具体的には、１速、２速、３速及びリバースの低速段）でモータ３１により駆動力を補うことができ、エンジン１００の燃費を低減することができる。
【００４４】
以上で発明の実施形態の説明を終えるが、本発明の形態は上記実施形態に限定されるものではない。
上記実施形態では、ギヤ段数を前進６段としているが、これに限定されるものではなく、前進６段よりもギヤ段数が少なくても、或いは多くても本願発明を適用することができる。
【符号の説明】
【００４５】
１，１’，１”  変速機部
２  第１クラッチ
３  第２クラッチ
４  第１主軸
５  第２主軸
６  第１副軸
７  第２副軸
９  出力軸（主入力軸）
１０ａ  第２固定ギヤ
１１ｂ  第４遊転ギヤ
１２ａ  第１遊転ギヤ
１２ｂ  第２遊転ギヤ
１２ｃ  第３遊転ギヤ
１３ｃ  第５遊転ギヤ
１４ａ  第１固定ギヤ
２１  第１シンクロスリーブ（第１シンクロ機構）
２２  第２シンクロスリーブ（第２シンクロ機構）
２３  第３シンクロスリーブ（第３シンクロ機構）
２４  第４シンクロスリーブ（第４シンクロ機構）
３１  モータ（電動機）
１００  エンジン（内燃機関）
【図１】
0005522409.tif 000002
【図２】
0005522409.tif 000003
【図３】
0005522409.tif 000004
【図４】
0005522409.tif 000005
【図５】
0005522409.tif 000006
【図６】
0005522409.tif 000007
【図７】
0005522409.tif 000008